(57)【要約】【課題】ＤＶＤメカ装置１１、メカシャーシ１６及び操作パネル２４を組付けたときに、それらのディスクスロット１３，１９，２６が的確に揃うようにする。【解決手段】ハーフピアス２９、３０及び左右凹所４４は、それぞれＤＶＤメカ装置１１、メカシャーシ１６及び操作パネル２４におけるディスクスロット１３，１９，２６の左右端部近傍に存在する。ハーフピアス３０の凹部４０及び凸部４１は、それぞれハーフピアス２９の凸部３６及び凹所４４と嵌合する。ＤＶＤメカ装置１１、メカシャーシ１６及び操作パネル２４の三者の組付け後では、ハーフピアス２９，３０及び凹所４４の中心線は一直線上に揃うようになっている。【選択図】図１
2008262635.tif 000002
【特許請求の範囲】
【請求項１】
メカハウジングと該メカハウジングの前面のディスク出入り口から挿入されたディスクに対して所定の処理を行うメカ部とを有するディスクメカ装置、
前記メカハウジングの前面を覆うように前記ディスクメカ装置に結合し結合状態における前記メカハウジングの前記ディスク出入り口との対峙位置にディスク出入り口が形成されているパネル、及び
前記メカハウジング及び前記パネルの対峙面の一方及び他方に形成され前記ディスクメカ装置及び前記パネルの結合状態では直接に又は介在部材の第２の凸部及び第２の凹部を介して間接に嵌合するようになっている第１の凹部及び第１の凸部、
を備えることを特徴とするディスク装置。
【請求項２】
前記介在部材は、前記ディスクメカ装置をその下側から支持するシャーシであり、
該シャーシは、前記メカハウジング及び前記パネルの対峙面の間に介在する介在部を有し、
前記第２の凸部及び前記第２の凹部は前記介在部に形成されていることを特徴とする請求項１記載のディスク装置。
【請求項３】
前記第２の凸部及び前記第２の凹部はハーフピアスにより形成されていることを特徴とする請求項２記載のディスク装置。
【請求項４】
前記メカハウジングはプレス加工の金属板から成り、
前記第１の凸部又は第１の凹部はハーフピアスにより形成されていることを特徴とする請求項１〜３のいずれかに記載のディスク装置。
【発明の詳細な説明】
【技術分野】
【０００１】
本発明は、ＤＶＤ等のディスクを出し入れするスロットをパネル面に装備するディスク装置に関するものである。
【背景技術】
【０００２】
図４は従来の車載ＡＶ（Audio Visual）装置７０の主要部を組付け前の状態で示す斜視図である。車載ＡＶ装置７０は、ＤＶＤメカ装置７１と、ＤＶＤメカ装置７１やＭＤプレーヤ（図示せず）等の前面を覆う操作パネル７５とを備え、自動車の運転室のダッシュボード内に、操作パネル７５の表面を露出させつつ、装填される。説明の便宜上、車載ＡＶ装置７０において、運転手に対峙する側を前方、また、その反対側を後方とする。
【０００３】
ＤＶＤメカ装置７１及び操作パネル７５には、それぞれほぼ同一寸法のディスクスロット７２，７６が形成されている。シャーシ７８は、ＤＶＤメカ装置７１の左右側面に固定される左右の側壁部と、該左右の側壁部を繋ぐ連絡部とを備えている。シャーシ７９は、操作パネル７５の裏面（後面）側に固定され、シャーシ７８に結合される。設計上、シャーシ７８，７９を介するＤＶＤメカ装置７１及び操作パネル７５の結合により、ＤＶＤメカ装置７１のディスクスロット７２及び操作パネル７５のディスクスロット７６は、車載ＡＶ装置７０の正面視で同一位置となり、ＤＶＤ又はＣＤは、途中で突っかかることなく、ディスクスロット７６からディスクスロット７２を経てＤＶＤメカ装置７１内へ装填されるようになっている。
【０００４】
一方、特許文献１は、ＣＤを載せて前後方向へ移動するトレイを有するトレイアセンブリと、該アセンブリが組付けられるプレーヤ本体とを装備するプレーヤを開示する（特許文献１の図１）。該プレーヤでは、トレイが、その前端位置において、本体パネルのディスク出入り口と的確に合わさって、該ディスク出入り口を介してＣＤの出し入れを支障なく行えるようにするため、所定の構造を採用する。すなわち、該構造では、左右の軸受けは、トレイの左右の軸を移動自在に支持するとともに、下端をメカシャーシに固定され、該軸受けの前面の円形ボスは、プレーヤ本体のパネルの裏面の円形穴内に嵌合する（特許文献１の段落００１８）。
【特許文献１】特開平１０−１６２５６６号公報
【発明の開示】
【発明が解決しようとする課題】
【０００５】
車載ＡＶ装置７０では、ＤＶＤメカ装置７１及び操作パネル７５は、シャーシ７８，７９を経由して相互に結合するようになっているので、寸法誤差や組付け誤差等が蓄積されて、ディスクスロット７２，７６の相互のずれが増大し易い。
【０００６】
特許文献１におけるパネルのディスク出入り口及びトレイの位置合わせ構造は、軸や軸受けが配備される装置にしか採用できない。また、通常の再生装置には、メカシャーシが、ディスクメカ装置に取り付いて、該ディスクメカ装置を支持するとともに、該メカシャーシの前壁が、ディスクメカ装置とパネルとの間に張り出して、張り出し部にディスク出入り口を有している。このような構造では、ディスクは、ディスクメカ装置のメカハウジング、メカシャーシの前壁、及びパネルの計３個のディスク出入り口を通過して、出入りする必要があり、特許文献１は、計３個のディスク出入り口の位置決めを効果的に行う構造についてなんら言及していない。特許文献１は、軸受けの円形ボスについて具体的な形成の仕方も開示しておらず、形成方法によっては、コストが増大する。
【０００７】
本発明の目的は、軸受けを装備しない場合への適用を確保しつつ、ディスクメカ装置のメカハウジングのディスク出入り口と、該ディスクメカ装置の前面側のパネルのディスク出入り口との位置合わせを的確に行うことができるディスク装置を提供することである。
【課題を解決するための手段】
【０００８】
本発明のディスク装置によれば、ディスクメカ装置及びパネルは、ディスクメカ装置のメカハウジング及びパネルの対峙面の一方及び他方における第１の凹部及び第１の凸部の相互の嵌合により相互に位置決めされる。該嵌合は、ディスクメカ装置のメカハウジング及びパネルの対峙面の間にシャーシが介在する場合には、第２の凸部及び第２の凹部がシャーシの各面に形成され、第１の凸部及び第１の凹部は、第２の凹部及び第２の凸部との嵌合を介して間接的に嵌合する。好ましくは、第１及び第２の凸部及び凹部は、その中心線が、ディスクメカ装置及びパネルの組付け状態において一直線上に揃うように、位置を設定されて、各部材に形成されている。
【０００９】
本発明のディスク装置は次のものを備えている。
メカハウジングと該メカハウジングの前面のディスク出入り口から挿入されたディスクに対して所定の処理を行うメカ部とを有するディスクメカ装置、
前記メカハウジングの前面を覆うように前記ディスクメカ装置に結合し結合状態における前記メカハウジングの前記ディスク出入り口との対峙位置にディスク出入り口が形成されているパネル、及び
前記メカハウジング及び前記パネルの対峙面の一方及び他方に形成され前記ディスクメカ装置及び前記パネルの結合状態では直接に又は介在部材の第２の凸部及び第２の凹部を介して間接に嵌合するようになっている第１の凹部及び第１の凸部。
【発明の効果】
【００１０】
本発明によれば、ディスクメカ装置及びパネルは、それらの対峙面に形成された凹部及び凸部の嵌合により位置決めされるので、組付け後のディスクメカ装置及びパネルのディスク出入り口は相互のずれを抑制される。
【発明を実施するための最良の形態】
【００１１】
図１は車載ＡＶ装置１０の主要部を組付け前の状態で示す斜視図である。車載ＡＶ装置１０は、ＤＶＤメカ装置１１、メカシャーシ１６及び操作パネル２４を備えている。なお、実際の操作パネル２４には、車載ＡＶ装置７０の操作パネル７５（図４）のように、ディスクスロット２６以外に、ＭＤを出し入れするスロットや、ディスプレイの表示窓等が存在するが、図１では、図示の簡略化のため、それらの図示は省略している。
【００１２】
車載ＡＶ装置１０は、自動車の運転室のダッシュボードの左右方向ほぼ中央の部位に、操作パネル２４のパネル部２５の表面側、すなわち操作面及び表示面側を運転室に露出させつつ、装填される。説明の便宜上、車載ＡＶ装置１０において、操作パネル２４側を前方、操作パネル２４とは反対側を後方と呼ぶ。
【００１３】
ＤＶＤメカ装置１１はＤＶＤ及びＣＤの両方を処理自在としている。該処理とは、例えば再生であるが、ＤＶＤ−Ｒや、ＣＤ−Ｒに対する記録も含めることができる。ＤＶＤメカ装置１１は金属製のメカハウジング１２を有し、メカハウジング１２はＤＶＤメカ装置１１のメカ部をその外側から覆っている。ディスクスロット１３は、メカハウジング１２の前面に穿設され、ＤＶＤ又はＣＤはディスクスロット１３を通過してメカハウジング１２へ出入りする。
【００１４】
メカシャーシ１６は、板金のプレス加工品から成り、メカハウジング１２を、その前方及び下方からそれぞれ覆う前壁部１７及び水平面部１８を有している。ディスクスロット１９は、前壁部１７に形成され、ＤＶＤメカ装置１１及びメカシャーシ１６の二者の組付け状態では、車載ＡＶ装置１０の正面から見て、中心線がディスクスロット１３のそれと一直線上に揃うように、位置を設定されている。ディスクスロット１３、１９及び後述のディスクスロット２６の縦×横寸法は等しく規定されている。ＤＶＤメカ装置１１は、前面側では前壁部１７に当接し、後面側では金具を介して水平面部１８の後端部に留められるようになっている。ＤＶＤメカ装置１１は、メカシャーシ１６へ組付けられた状態では、下面を水平面部１８の上面から少し浮かすようになっている。
【００１５】
操作パネル２４において、パネル部２５にはディスクスロット２６が穿設されている。ディスクスロット２６は、ＤＶＤメカ装置１１、メカシャーシ１６及び操作パネル２４の三者の組付け状態では、車載ＡＶ装置１０の正面から見て、中心線がディスクスロット１３，１９のそれと一直線上に揃うように、パネル部２５上の位置を設定されている。
【００１６】
左右のハーフピアス２９は、メカハウジング１２の前面において、ディスクスロット１３の左右端部の少し下の位置に形成される。左右のハーフピアス３０は、左右のハーフピアス２９に対応するように、メカシャーシ１６の前壁部１７において、ディスクスロット１９の左右端部の少し下の位置に形成される。
【００１７】
図２は図１の車載ＡＶ装置１０を横から見た概略図である。操作パネル２４は帯状隆起部２７を有し、帯状隆起部２７は、パネル部２５の裏面側から後方へ突出している。ディスクスロット２６は、帯状隆起部２７内に穿設され、帯状隆起部２７を前後方向へ貫通している。左右の円形ボス２８は、前壁部１７及び操作パネル２４の組付け状態において、左右のハーフピアス３０（図１）に対峙するように、操作パネル２４における位置を設定され、帯状隆起部２７の後端面からハーフピアス３０の凸部４１の隆起量を超える長さで後方へ突出している。
【００１８】
図３は図２の円形ボス２８の近辺の垂直断面図である。ハーフピアス２９により、メカハウジング１２の後面側及び前面側には、それぞれ凹部３５及び凸部３６が形成されている。ハーフピアス３０により、前壁部１７の後面側及び前面側には、それぞれ凹部４０及び凸部４１が形成されている。凹所４４は、円形ボス２８の端面に形成されている。凹部３５、凸部３６、凹部４０、凸部４１及び凹所４４は、例えば円形の横断面となっているが、角形状であってもよい。なお、円形ボス２８は省略して、凹所４４は、帯状隆起部２７の後面に直接形成してもよい。
【００１９】
凸部３６は、凹部４０へほぼ密に嵌合するように、直径を凹部４０のそれと等しくされる。凸部３６の隆起量は、ＤＶＤメカ装置１１及びメカシャーシ１６の相互の組付け状態において、メカハウジング１２の前面が前壁部１７の後面に面接触するように、凹部４０の陥没量よりも小さくされる。凸部４１は、凹所４４へほぼ密に嵌合するように、直径を凹所４４のそれと等しくされる。凸部４１の隆起量は、メカシャーシ１６及び操作パネル２４の相互の組付け状態において、前壁部１７の前面が円形ボス２８の後面に面接触するように、凹所４４の陥没量よりも小さくされる。
【００２０】
ＤＶＤメカ装置１１、前壁部１７及び操作パネル２４の組付けでは、最初にＤＶＤメカ装置１１及びメカシャーシ１６の組付けが行われる。この際、ＤＶＤメカ装置１１のメカハウジング１２の前面の左右の凸部３６が前壁部１７の後面の左右の凹部４０にその後ろ側から嵌合し、これにより、ＤＶＤメカ装置１１と前壁部１７とは、メカハウジング１２の前面の面方向へ適切に位置決めされる。
【００２１】
次に、ＤＶＤメカ装置１１及びメカシャーシ１６の組付け品が操作パネル２４へ組付けられる。この組付けでは、前壁部１７の前面の左右の凸部４１が帯状隆起部２７の後面の左右の円形ボス２８の凹所４４に嵌合し、これにより、操作パネル２４とＤＶＤメカ装置１１及びメカシャーシ１６の組付け品とは、メカハウジング１２の前面の面方向へ適切に位置決めされる。
【００２２】
ハーフピアス２９，３０及び凹所４４は、ＤＶＤメカ装置１１、メカシャーシ１６及び操作パネル２４の組付け状態において、それらの中心線が一直線上に揃うように、ＤＶＤメカ装置１１、メカシャーシ１６及び操作パネル２４における位置を設定されている。凸部４１の中心線は、凸部３６の中心線と一直線上に揃うので、凹所４４は、その中心線を凸部３６の中心線と一直線上に揃えて位置付けられ、結果、ＤＶＤメカ装置１１と操作パネル２４とは、両者の間におけるメカシャーシ１６の介在にもかかわらず、両者間の組付け誤差や製造誤差の蓄積に起因する相対位置誤差を免れて、ディスクスロット１３，２６の正確な位置合わせが可能になる。また、ハーフピアス２９，３０による凸部３６，４１等の形成は製造コストが安価なものとなる。
【００２３】
ハーフピアス２９，３０は、図３では、前方を凸に形成しているが、凸の向きを逆にして、すなわち後方を凸に形成して、ＤＶＤメカ装置１１、メカシャーシ１６及び操作パネル２４の位置決めを行うこともできる。その場合、凹所４４の代わりに、所定の凸部が円形ボス２８の端面に、又は円形ボス２８を省略した場合には帯状隆起部２７の端面に、形成される。
【００２４】
本発明のディスク装置と車載ＡＶ装置１０との関係について説明する。本発明のディスク装置は、車載に限定されない。また、本発明のディスク装置の処理対象ディスクは、ＤＶＤやＣＤに限定されず、ＭＤやその他の光ディスクであってよい。該ディスク装置は、ディスクメカ装置、パネル、第１の凹部及び第１の凸部を備えている。それらディスクメカ装置、パネル、第１の凹部及び第１の凸部の具体例は図１のＤＶＤメカ装置１１、操作パネル２４、凹所４４及び凸部３６である。
【００２５】
本発明におけるディスクメカ装置は、メカハウジングと、該メカハウジングの前面のディスク出入り口から挿入されたディスクに対して所定の処理を行うメカ部とを有する。パネルは、メカハウジングの前面を覆うように、ディスクメカ装置に結合し、結合状態におけるメカハウジングのディスク出入り口との対峙位置にディスク出入り口が形成されている。メカハウジングの具体例はメカハウジング１２である。パネルのディスク出入り口の具体例はディスクスロット２６である。
【００２６】
第１の凹部及び第１の凸部は、メカハウジング及びパネルの対峙面の一方及び他方に形成され、ディスクメカ装置及びパネルの結合状態では直接に又は介在部材の第２の凸部及び第２の凹部を介して間接に嵌合するようになっている。メカハウジング及びパネルの対峙面の一方及び他方の具体例はそれぞれ操作パネル２４及びメカハウジング１２の対峙面である。介在部材の具体例は前壁部１７である。一方及び他方をそれぞれメカハウジング１２及び操作パネル２４の対峙面にして、第１の凹部及び第１の凸部をメカハウジング１２及び操作パネル２４に形成することもできる。
【００２７】
具体的には、介在部材は、ディスクメカ装置をその下側から支持するシャーシであり、該シャーシは、メカハウジング及びパネルの対峙面の間に介在する介在部を有し、第２の凸部及び第２の凹部は介在部に形成されている。介在部の具体例は、メカシャーシ１６の前壁部１７である。
【００２８】
好ましくは、メカハウジングはプレス加工の金属板から成り、第１の凸部又は第１の凹部はハーフピアスにより形成されている。好ましくは、第２の凸部及び第２の凹部も、ハーフピアスにより形成されている。第１の凸部又は第１の凹部を形成するハーフピアスの具体例はハーフピアス２９である。第２の凸部及び第２の凹部を形成するハーフピアスの具体例はハーフピアス３０である。
【００２９】
好ましくは、第１及び第２の凹部及び凸部は、ディスク出入り口の周辺部の複数（例：２個）の位置に形成され、さらに、好ましくはディスク出入り口の左右両端部近傍の位置に形成される。典型的には、ディスクメカ装置、介在部材及びパネルの三者の組付け状態では、第１の凹部及び凸部の中心線が第２の凸部及び凹部の中心線と一直線上に揃うように、第１及び第２の凹部及び凸部の各々が、ディスクメカ装置、介在部材及びパネルの内の対応する各々に形成される。
【００３０】
本明細書は種々の発明を含んでいる。本明細書が開示した発明は、発明の最良の形態等として説明した各種形態において、一部の要素のみを組合せたり、一部の要素を自明の範囲で変更したり、各種形態間で自明の範囲で一部構成要素を置き換えたりするものを含む。
【００３１】
本発明は、ディスク装置に限定することなく、前後方向へ組付けられる複数の部材の各スロット間の適切な位置合わせを行う構造全般に適用可能である。その場合、ディスクは、スロットを通過する平板部材に対応し、ディスクメカ装置は、該平板部材が装填される内部装置、パネルは、該ディスクメカ装置の前面を覆うように、該ディスクメカ装置と組付け状態になるパネルに対応する。なお、該平板部材は、スロットを出入りするものでなく、すなわち双方向へ通過するものでなく、内部又は外部へ一方向へ通過するだけのものも含む。
【図面の簡単な説明】
【００３２】
【図１】車載ＡＶ装置の主要部を組付け前の状態で示す斜視図である。
【図２】図１の車載ＡＶ装置を横から見た概略図である。
【図３】図２の円形ボスの近辺の垂直断面図である。
【図４】従来の車載ＡＶ装置の主要部を組付け前の状態で示す斜視図である。
【符号の説明】
【００３３】
１０：車載ＡＶ装置、１１：ＤＶＤメカ装置、１２：メカハウジング、１３，１９，２６：ディスクスロット、１６：メカシャーシ、１７：前壁部、２４：操作パネル、２９，３０：ハーフピアス、３５，４０：凹部、３６，４１：凸部、４４：凹所。
【図１】
2008262635.tif 000003
【図２】
2008262635.tif 000004
【図３】
2008262635.tif 000005
【図４】
2008262635.tif 000006